(57)【要約】【課題】所定の特色を単色と同一の制御にて濃度補正することで、階調飛びや階調潰れを発生させずに特色を安定して出力可能なカラー画像形成装置を提供する。【解決手段】ユーザにより特色が設定されると、特色を分解して得られたマゼンタ、シアン、イエロー及びブラックの特色分解パッチ画像ｍｓ、ｃｓ、ｙｓ及びｋｓを濃度補正パターンＭ、Ｃ、Ｙ、Ｋ中に追加する。そして、例えば濃度補正パターンＭ中の特色分解パッチｍｓに濃度が隣接する２つのパッチｍ４、ｍ５が、それぞれパッチｍ４、ｍ５に濃度が隣接する特色分解パッチｍｓとパッチｍ３、特色分解パッチｍｓとパッチｍ６の濃度差を二等分するように濃度変更し、濃度補正パターンＣ、Ｙ、Ｋについても同様に変更する。【選択図】図６
2009069232.tif 000002
【特許請求の範囲】
【請求項１】
像担持体と、
該像担持体上に濃度の異なる単色パッチから成る複数色の濃度補正パターンを形成可能な画像形成部と、
該画像形成部により形成された濃度補正パターンの濃度を検知する検知手段と、
該検知手段の検知結果に基づいて各色の濃度補正を行う制御手段と、を備えたカラー画像形成装置において、
前記制御手段は、ユーザにより所定の特色が設定されている場合、前記特色を単色に分解した特色分解パッチを前記濃度補正パターン中に追加するとともに、少なくとも前記特色分解パッチを含む複数の単色パッチの濃度差が略均等化されるように前記濃度補正パターンを変更することを特徴とするカラー画像形成装置。
【請求項２】
前記制御手段は、前記特色分解パッチに濃度が隣接する２つの単色パッチが、前記特色分解パッチと前記２つの単色パッチに濃度が隣接する他の単色パッチとの濃度差を二等分するように前記濃度補正パターンを変更することを特徴とする請求項１に記載のカラー画像形成装置。
【請求項３】
前記制御手段は、前記濃度補正パターンを前記特色分解パッチよりも低濃度側の第１の領域と、前記特色分解パッチよりも高濃度側の第２の領域とに分割し、該第１及び第２の領域内において濃度が隣接する各単色パッチ間の濃度差がそれぞれ均等となるように前記濃度補正パターンを変更することを特徴とする請求項１に記載のカラー画像形成装置。
【発明の詳細な説明】
【技術分野】
【０００１】
本発明は、電子写真法を用いた画像形成装置に関し、特にカラー画像形成装置における出力画像の濃度補正方法に関するものである。
【背景技術】
【０００２】
電子写真プロセスを用いた画像形成装置においては、装置起動時或いは画像濃度を適正に設定するためのモード（キャリブレーションモード）が設定されたとき、トナー担持体上に直接トナーを転写して濃度補正パターン（基準画像）を形成し、その濃度を検出して濃度補正を行う。例えば特許文献１には、ベタ画像の濃度補正を行う第１の補正と中間調画像の濃度補正を行う第２の補正とを順次実行することにより、中間調を含む画像を安定して高品質に出力できる画像形成装置が開示されている。
【０００３】
画像濃度の調整方法としては、検知された画像濃度に基づいて感光体の帯電電位、現像バイアス電位、露光ユニットによる露光量等を調整する方法、画像信号の濃度データを直接変更する方法、或いは両者を組み合わせた方法等が挙げられるが、感光体の帯電量や露光量、現像バイアス値等の濃度補正に用いる各パラメータ値を濃度段階に応じて変更することは困難であるため、濃度段階に応じた精密な濃度補正を行う場合は画像信号の濃度データを変更する方法が用いられる。
【０００４】
カラー画像形成装置の場合、マゼンタ、シアン、イエロー及びブラックの各画像形成部により像担持体上に各色の基準画像が形成され、検知手段により基準画像の濃度を検知して濃度補正を行う。また、一定の数式を用いて４色のトナーの混合量を決定することによりモニターの画面や原稿色に特色を合わせる、いわゆるカラーマッチング技術が用いられている。しかし、一意的なカラーマッチングでは、会社のロゴマーク色や企業や団体等の組織を象徴するコーポレートカラーを正確に再現することは困難であった。
【０００５】
そこで、所望の色について濃度補正の精度を高める方法が提案されており、例えば特許文献２には、ユーザの登録した所定色（特色）に対しては数種類の色サンプルを提示して出力する色を指定可能とし、さらに指定された特色を単色に分解してパッチ画像を形成することにより、通常の各色の濃度補正と同時に特色の濃度補正も行うようにした画像形成システムが開示されている。
【特許文献１】特許第２９７２２５４号公報
【特許文献２】特開２００６−２８７７０８号公報
【発明の開示】
【発明が解決しようとする課題】
【０００６】
しかしながら、特許文献１の方法を用いてγ補正などの画像形成条件が最適に調整されたとしても、濃度補正パターンとして印字される濃度は所定の色を構成する単色の濃度と異なる場合がほとんどであり、所定の色が正確に濃度調整される保障はない。また、特許文献２の方法では、特色と単色をそれぞれ別のＬＵＴ（ルックアップテーブル）を用いて補正するため、感光体ドラムや現像装置等のプロセスユニットの経年変化を受けて特色とその近傍の色に階調飛びや階調潰れ等の画像不良が発生するおそれがあった。即ち、特定の色に対して出力するマゼンタ、シアン、イエロー及びブラックの各色の濃度が指定された場合、設定当初は狙いの色が出力されても経時変化によって狙いとする色から変化する可能性があった。
【０００７】
本発明は、上記問題点に鑑み、所定の色と単色を同一の制御にて補正することで、階調飛びや階調潰れを発生させずに所定の色を安定して出力可能なカラー画像形成装置を提供することを目的とする。
【課題を解決するための手段】
【０００８】
上記目的を達成するために本発明は、像担持体と、該像担持体上に濃度の異なる単色パッチから成る複数色の濃度補正パターンを形成可能な画像形成部と、該画像形成部により形成された濃度補正パターンの濃度を検知する検知手段と、該検知手段の検知結果に基づいて各色の濃度補正を行う制御手段と、を備えたカラー画像形成装置において、前記制御手段は、ユーザにより所定の特色が設定されている場合、前記特色を単色に分解した特色分解パッチを前記濃度補正パターン中に追加するとともに、少なくとも前記特色分解パッチを含む複数の単色パッチの濃度差が略均等化されるように前記濃度補正パターンを変更することを特徴としている。
【０００９】
また本発明は、上記構成の画像形成装置において、前記制御手段は、前記特色分解パッチに濃度が隣接する２つの単色パッチが、前記特色分解パッチと前記２つの単色パッチに濃度が隣接する他の単色パッチとの濃度差を二等分するように前記濃度補正パターンを変更することを特徴としている。
【００１０】
また本発明は、上記構成の画像形成装置において、前記制御手段は、前記濃度補正パターンを前記特色分解パッチよりも低濃度側の第１の領域と、前記特色分解パッチよりも高濃度側の第２の領域とに分割し、該第１及び第２の領域内において濃度が隣接する各単色パッチ間の濃度差がそれぞれ均等となるように前記濃度補正パターンを変更することを特徴としている。
【発明の効果】
【００１１】
本発明の第１の構成によれば、ユーザの指定する特色を単色の濃度補正と同時に直接補正することができ、画像形成に用いられるプロセスユニットの経年変化に関係なく特色の色調を高いレベルに維持することができる。また、特色分解パッチの近傍においてパッチ間の濃度差が略均等化されるため、検知手段の読み取り誤差による中間調の濃度補正精度の劣化も抑制できる。
【００１２】
また、本発明の第２の構成によれば、上記第１の構成の画像形成装置において、特色分解パッチに濃度が隣接する２つの単色パッチの濃度を変更するだけで、特色分解パッチを中心とした５つのパッチ間の濃度差が、特色分解パッチの低濃度側及び高濃度側それぞれにおいて簡単に均等化できる。
【００１３】
また、本発明の第３の構成によれば、上記第１の構成の画像形成装置において、特色分解パッチよりも低濃度側の第１の領域と特色分解パッチよりも高濃度側の第２の領域において濃度が隣接する各単色パッチ間の濃度差がそれぞれ均等となるため、濃度補正パターン全域に亘ってパッチ間の濃度差が均等化され、中間調の濃度補正をより精度良く行うことができる。
【発明を実施するための最良の形態】
【００１４】
以下、図面を参照しながら本発明の実施形態を詳細に説明する。図１は、本発明のカラー画像形成装置の構成を示す概略図である。画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（マゼンタ、シアン、イエロー及びブラック）の画像に対応して設けられており、それぞれ帯電、露光、現像及び転写の各工程によりマゼンタ、シアン、イエロー及びブラックの画像を順次形成する。
【００１５】
この画像形成部Ｐａ〜Ｐｄには、各色の可視像（トナー像）を担持する感光体ドラム１ａ、１ｂ、１ｃ及び１ｄが配設されており、これらの感光体ドラム１ａ〜１ｄ上に形成されたトナー像が、駆動手段（図示せず）により図１において時計回りに回転しながら各画像形成部に隣接して移動する中間転写ベルト８上に順次転写（一次転写）された後、二次転写ローラ９において用紙Ｓ上に一度に転写（二次転写）され、さらに、定着部７において用紙Ｓ上に定着された後、装置本体より排出される構成となっている。感光体ドラム１ａ〜１ｄを図１において反時計回りに回転させながら、各感光体ドラム１ａ〜１ｄに対する画像形成プロセスが実行される。
【００１６】
トナー像が転写される用紙Ｓは、装置下部の用紙カセット１６内に収容されており、給紙ローラ１２ａ及びレジストローラ対１２ｂを介して二次転写ローラ９へと搬送される。中間転写ベルト８には誘電体樹脂製のシートが用いられ、その両端部を互いに重ね合わせて接合しエンドレス形状にしたベルトや、継ぎ目を有しない（シームレス）ベルトが用いられる。また、二次転写ローラ９の下流側には中間転写ベルト８表面に残存するトナーを除去するためのクリーニングブレード１９が配置されている。
【００１７】
次に、画像形成部Ｐａ〜Ｐｄについて説明する。回転自在に配設された感光体ドラム１ａ〜１ｄの周囲及び下方には、感光体ドラム１ａ〜１ｄを帯電させる帯電器２ａ、２ｂ、２ｃ及び２ｄと、各感光体ドラム１ａ〜１ｄに画像情報を露光する露光ユニット４と、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００１８】
ユーザにより画像形成開始が入力されると、先ず、帯電器２ａ〜２ｄによって感光体ドラム１ａ〜１ｄの表面を一様に帯電させ、次いで露光ユニット４によって光照射し、各感光体ドラム１ａ〜１ｄ上に画像信号に応じた静電潜像を形成する。現像ユニット３ａ〜３ｄは、感光体ドラム１ａ〜１ｄに対向配置された現像ローラ（現像剤担持体）を備え、それぞれマゼンタ、シアン、イエロー及びブラックの各色のトナーが補給装置（図示せず）によって所定量充填されている。このトナーは、現像ユニット３ａ〜３ｄの現像ローラにより感光体ドラム１ａ〜１ｄ上に供給され、静電的に付着することにより、露光ユニット４からの露光により形成された静電潜像に応じたトナー像が形成される。
【００１９】
そして、中間転写ベルト８に所定の転写電圧で電界が付与された後、転写ローラ６ａ〜６ｄにより感光体ドラム１ａ〜１ｄ上のマゼンタ、シアン、イエロー、及びブラックのトナー像が中間転写ベルト８上に一次転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング部５ａ〜５ｄにより除去される。
【００２０】
中間転写ベルト８は、従動ローラ１０、駆動ローラ１１及びテンションローラ２０に掛け渡されており、駆動モータ（図示せず）による駆動ローラ１１の回転に伴い中間転写ベルト８が時計回りに回転を開始すると、用紙Ｓがレジストローラ１２ｂから所定のタイミングで中間転写ベルト８に隣接して設けられた二次転写ローラ９へ搬送され、中間転写ベルト８とのニップ部（二次転写ニップ部）において用紙Ｓ上にフルカラー画像が二次転写される。トナー像が転写された用紙Ｓは定着部７へと搬送される。
【００２１】
定着部７に搬送された用紙Ｓは、定着ローラ対１３のニップ部（定着ニップ部）を通過する際に加熱及び加圧されてトナー像が用紙Ｓの表面に定着され、所定のフルカラー画像が形成される。フルカラー画像が形成された用紙Ｓは、複数方向に分岐した分岐部１４によって搬送方向が振り分けられる。用紙Ｓの片面のみに画像を形成する場合は、そのまま排出ローラ１５によって排出トレイ１７に排出される。
【００２２】
一方、用紙Ｓの両面に画像を形成する場合は、定着部７を通過した用紙Ｓの一部を一旦排出ローラ１５から装置外部にまで突出させる。その後、用紙Ｓは排出ローラ１５を逆回転させることにより分岐部１４で用紙搬送路１８に振り分けられ、画像面を反転させた状態で二次転写ローラ９に再搬送される。そして、中間転写ベルト８上に形成された次の画像が二次転写ローラ９により用紙Ｓの画像が形成されていない面に転写され、定着部７に搬送されてトナー像が定着された後、排出トレイ１７に排出される。
【００２３】
画像形成部Ｐｄの下流側且つ二次転写ローラ９の上流側直近には濃度検知センサ２１が配置されている。濃度検知センサ２１は、画像形成部Ｐａ〜Ｐｄにおいて中間転写ベルト８上に形成される濃度補正パターンに測定光を照射し、濃度補正パターンを構成する各パッチ画像からの反射光量を検出する。検出結果は受光出力信号として後述する制御部３２に送信される。濃度検知センサ２１としては、一般にＬＥＤ等から成る発光素子と、フォトダイオード等から成る受光素子を備えた光学センサが用いられる。濃度補正パターンの濃度を測定する際、発光素子から中間転写ベルト８上の各パッチ画像に対し順次測定光を照射すると、測定光はトナーによって反射される光、及びベルト表面によって反射される光として受光素子に入射する。
【００２４】
トナーの付着量が多い場合には、ベルト表面からの反射光がトナーによって遮光されるので、受光素子の受光量が減少する。一方、トナーの付着量が少ない場合には、逆にベルト表面からの反射光が多くなる結果、受光素子の受光量が増大する。従って、受光した反射光量に基づく受光信号の出力値により各色のパッチ画像のトナー付着量（画像濃度）を検知し、予め定められた基準濃度と比較して現像バイアスの特性値などを調整することにより、各色について濃度補正が行われる。
【００２５】
濃度検知センサ２１は、測定対象物までの距離を厳密に規定しておく必要があるため、図１に示すように、中間転写ベルト８表面までの距離変動の少ない駆動ローラ１１に対抗するような位置に配置されており、中間転写ベルト８上の濃度補正パターンの形成位置に合わせて中間転写ベルト８の幅方向に位置決めされている。
【００２６】
なお、濃度検知センサ２１は中間転写ベルト８上の濃度補正パターンを検知可能な他の位置に配置しても良いが、例えば二次転写ローラ９よりも下流側に配置した場合、画像形成部Ｐａ〜Ｐｄにより濃度補正パターンが形成されてから濃度検知が行われるまでの時間が長くなり、さらに濃度補正パターンが二次転写ローラ９と接触することにより濃度補正パターンの表面状態が変化するおそれもある。そのため、図１のように画像形成部Ｐｄよりも下流側且つ二次転写ローラ９の接触位置よりも上流側に配置することが好ましい。
【００２７】
図２は、本発明のカラー画像形成装置の制御経路を示すブロック図である。図１と共通する部分には同一の符号を付して説明を省略する。画像形成装置１００は、画像形成部Ｐａ〜Ｐｄ、画像入力部３０、ＡＤ変換部３１、制御部３２、記憶部３３、操作パネル３４、定着部７、中間転写ベルト８及び濃度検知センサ２１等を含む構成である。
【００２８】
画像入力部３０は、画像形成装置１００がカラー複写機である場合、複写時に原稿を照明するスキャナランプや原稿からの反射光の光路を変更するミラーが搭載された走査光学系、原稿からの反射光を集光して結像する集光レンズ、及び結像された画像光を電気信号に変換するＣＣＤ等から構成される画像読取部であり、画像形成装置１００が図１に示すようなカラープリンタである場合、パーソナルコンピュータ等から送信される画像データを受信する受信部である。画像入力部３０より入力された画像信号はＡＤ変換部３１においてデジタル信号に変換された後、記憶部３３内の画像メモリ４０に送出される。
【００２９】
記憶部３３は、画像メモリ４０、ＲＡＭ４１、及びＲＯＭ４２を備えており、画像メモリ４０は、画像入力部３０から入力され、ＡＤ変換部３１においてデジタル変換された画像信号を記憶し、制御部３２に送出する。ＲＡＭ４１及びＲＯＭ４２は、制御部３２の処理プログラムや処理内容等を記憶する。
【００３０】
また、ＲＡＭ４１には、濃度補正パターン中の各パッチ画像の濃度と濃度検知センサ２１の出力値とを関連づけて記憶したパッチ濃度−センサ出力値ルックアップテーブル（濃度−センサ出力値ＬＵＴ）、濃度データの入力値とそれに対するセンサ出力値の目標値とを関連づけて記憶したルックアップテーブル（データ入力値−センサ出力値ＬＵＴ）や、濃度入力値と実際の濃度出力値とを関連づけて記憶したγテーブルが格納されている。
【００３１】
操作パネル３４は、複数の操作キーから成る操作部と、設定条件や装置の状態等を表示する表示部（いずれも図示せず）とから構成されており、ユーザが印刷条件等の設定を行う他、例えば画像形成装置１００がファクシミリ機能を有する場合は、記憶部３３にファクシミリ送信先を登録し、さらに登録された送信先の読み出しや書き換えを行う等の種々の設定にも使用される。また、ユーザが所望の色（以下、特色という）を設定する場合にも用いられる。なお、画像形成装置がパーソナルコンピュータ等の外部入力装置にオンライン接続されている場合は、外部入力装置から特色を設定するようにしても良い。設定された特色は記憶部３３のＲＡＭ４１に記憶される。
【００３２】
制御部３２は、例えば中央処理装置（ＣＰＵ）であり、設定されたプログラムに従って画像入力部３０、画像形成部Ｐａ〜Ｐｄ、定着部７、及び用紙カセット１６（図１参照）からの用紙Ｓの搬送等を全般的に制御するとともに、画像入力部３０から入力された画像信号を、必要に応じて変倍処理或いは階調処理して画像データに変換する。露光ユニット４は、処理後の画像データに基づいてレーザ光を照射し、感光体ドラム１ａ〜１ｄ上に潜像を形成する。
【００３３】
さらに制御部３２は、操作パネル３４のキー操作等によりキャリブレーションモードが設定されると、濃度検知センサ２１からの出力信号を受信し、濃度補正パターンの各パッチ画像のセンサ出力値を目標値と比較する機能、比較結果に応じて画像メモリ４０内に記憶された画像信号の濃度データを調整することにより、各色について濃度補正を行う機能を有している。なお、キャリブレーションモードは、ユーザによるマニュアル設定の他、装置の電源ＯＮ時や所定枚数の画像形成処理が終了した時にも自動的に設定されるようにしてもよい。
【００３４】
次に、本発明のカラー画像形成装置における濃度補正について説明する。図３は本発明の濃度補正制御に用いられる濃度補正パターンの一例である。本発明では、ユーザにより所定の色（以下、特色という）が設定されている場合、特色をマゼンタ（Ｍ）、シアン（Ｃ）、イエロー（Ｙ）及びブラック（Ｋ）の各単色に分解し、得られた４色のパッチを通常の濃度補正パターン中に追加する。
【００３５】
図３（ａ）は、特色が設定されていない場合の濃度補正パターン（階調パターン）の一例である。例えばマゼンタの濃度補正パターンＭは、白ベタ画像（ｍ１）から最も濃色の画像（ｍ９）まで９段階の濃度のパッチ画像ｍ１〜ｍ９が進行方向から順に形成され、隣接するパッチ画像は、境界において濃度が変化するようにそれぞれ単色で形成されている。なお、シアン、イエロー及びブラックの濃度補正パターンＣ、Ｙ、Ｋも同様に９段階のパッチ画像から構成されている。
【００３６】
ユーザにより特色が設定されると、図３（ｂ）に示すように、特色を分解して得られたマゼンタ、シアン、イエロー及びブラックの特色分解パッチ画像ｍｓ、ｃｓ、ｙｓ及びｋｓが濃度補正パターンＭ、Ｃ、Ｙ、Ｋ中に追加され、各濃度補正パターンＭ〜Ｋは１０段階の濃度のパッチ画像を含むこととなる。図３（ｂ）におけるマゼンタの濃度補正パターンＭの拡大図を図４に示す。ここでは図４のように、特色分解パッチ画像ｍｓをパッチ画像ｍ４とｍ５との間に割り込ませており、濃度補正パターンＭ中のパッチ画像が濃度順に並ぶようにしている。他の濃度補正パターンＣ〜Ｋについても同様であるが、特色分解パッチ画像ｍｓ〜ｋｓを他の場所（例えば各パターンの直後）に配置しても良い。
【００３７】
次に、本発明の画像形成装置における第１実施形態の濃度補正制御について説明する。図５は、濃度補正パターンを形成する各パッチ画像の濃度と濃度検知センサの出力値との関係を示すグラフであり、図６は、第１実施形態の濃度補正における濃度補正パターンの変更方法を示すグラフである。なお、ここではマゼンタの濃度補正パターンＭを例に挙げて説明するが、他の濃度補正パターンＣ、Ｙ、Ｋも全く同様に説明される。
【００３８】
各パッチ画像の濃度とセンサ出力値とは理論的には比例関係となるため、目標とする濃度−出力値特性は図５中に破線で示すような直線Ｌとなる。しかし、図４に示したようなｍ１〜ｍ９にｍｓを追加した１０段階のパッチ画像の濃度を濃度検知センサ２１で検知し、横軸に濃度（％）、縦軸にセンサ出力値をとって検知結果をプロットすると、直線Ｌから外れた曲線Ｓとなる。例えば特色分解パッチ画像ｍｓの濃度の入力値をＤ％とすると、実際に形成された特色分解パッチ画像ｍｓを検知したときのセンサ出力値Ｑは目標値Ｑ′（直線Ｌ上においてＸ座標がＤ％である点のＹ座標）よりも高い値となる。
【００３９】
そのため、特色分解パッチ画像ｍｓの濃度がＤ％であるとき、センサ出力値を目標値Ｑ′とするためには、特色分解パッチ画像ｍｓの濃度の入力値をＤ′％（曲線Ｓ上においてＹ座標がＱ′である点のＸ座標）に設定し、濃度がＤ′％となるように（センサ出力値がＱ′となるように）画像メモリ４０に記憶された画像信号の濃度データを直接変更すれば良い。
【００４０】
このように曲線Ｓ及び直線Ｌを用いて各濃度の入力値を設定し、設定された濃度（またはセンサ出力値）となるように濃度データを調整することで、感光体ドラムや現像装置等の経年変化に伴う濃度変化に係わらず、常に一定の濃度を維持することができる。また、特色分解パッチｍｓ〜ｋｓを追加することで、特色に用いられる単色濃度を直接制御することができるため、特色の濃度安定性も向上する。パッチ濃度の入力値は、直線Ｌ及び曲線Ｓに基づいてパッチ濃度とセンサ出力値を対応づけた２種類の濃度−出力値ＬＵＴを用いて設定しても良いし、曲線Ｓ及び直線Ｌから導かれる数式を用いて演算により算出しても良い。
【００４１】
ところで、追加された特色分解パッチの濃度によっては、元のパッチと濃度が近接している場合がある。例えば図５では、特色分解パッチｍｓとパッチｍ５の濃度が近接している。この場合、濃度検知センサ２１の読み取り誤差により特色分解パッチｍｓとパッチｍ５のセンサ出力値が逆転してしまい、特色の近傍で階調飛びや階調潰れが発生するおそれがある。
【００４２】
そこで、図６に示すように、パッチｍ３とｍ４の濃度差Δａと、パッチｍ４と特色分解パッチｍｓの濃度差Δｂとが等しく、特色分解パッチｍｓとパッチｍ５の濃度差Δｃと、パッチｍ５とｍ６の濃度差Δｄとが等しくなるようにパッチｍ４、ｍ５の濃度を変更する。即ち、特色分解パッチｍｓに濃度が隣接する２つのパッチｍ４、ｍ５が、それぞれパッチｍ４、ｍ５に濃度が隣接する特色分解パッチｍｓとパッチｍ３、特色分解パッチｍｓとパッチｍ６の濃度差を二等分するように濃度補正パターンを変更する。
【００４３】
例えば、ｍ１〜ｍ９の設定濃度をそれぞれｍ１＝０％、ｍ２＝１２．５％、ｍ３＝２５％、ｍ４＝３７．５％、ｍ５＝５０％、ｍ６＝６２．５％、ｍ７＝７５％、ｍ８＝８７．５％、ｍ９＝１００％とし、特色分解パッチｍｓの設定濃度を４６％とする。このとき、特色分解パッチｍｓに濃度が隣接するパッチｍ４の濃度を（２５＋４６）／２＝３５．５％とし、パッチｍ５の濃度を（４６＋６２．５）／２＝５４．２５％とする。これにより、特色分解パッチｍｓの近傍でパッチ画像間の濃度差が略均等化されるため、中間調の濃度補正精度を劣化させずに特色の濃度安定化を図ることができる。
【００４４】
図７は、第１実施形態の濃度補正手順を示すフローチャートである。図１〜図６を参照しながら、図７のステップに従いキャリブレーションの実行手順について説明する。
【００４５】
ユーザの操作により、若しくは所定枚数印字後にキャリブレーションモードが設定されると、制御部３２は濃度補正パターンの形成を指示する（ステップＳ１）。次に、操作パネル３４やパーソナルコンピュータから特色が設定されているか否かが判断される（ステップＳ２）。ユーザにより特色が設定されている場合は、特色をマゼンタ、シアン、イエロー及びブラックの単色に分解する（ステップＳ３）。そして、分解して得られた特色分解パッチｍｓ、ｃｓ、ｙｓ及びｋｓを濃度補正パターンＭ、Ｃ、Ｙ、Ｋに追加する（ステップＳ４）。
【００４６】
次に、追加した特色分解パッチｍｓ、ｃｓ、ｙｓ及びｋｓに濃度が隣接する２点の単色パッチ（図５ではパッチｍ４とｍ５）について、それぞれに隣接する単色パッチ（図５では特色分解パッチｍｓとパッチｍ３、及び特色分解パッチｍｓとパッチｍ６）の中間濃度に濃度変更する（ステップＳ５）。また、記憶部３３に格納されている濃度−出力値ＬＵＴを用いて、濃度変更後の単色パッチに対するセンサ出力値の目標値を設定する。
【００４７】
そして、変更された濃度補正パターン（図３（ｂ）参照）を中間転写ベルト８上に形成して各色の濃度補正を実行する（ステップＳ６）。具体的には、濃度補正パターンを構成する各パッチの濃度を濃度検知センサ２１により検知し、検知信号を制御部３２に送信する。制御部３２は各パッチのセンサ出力値を目標値と比較し、各色についてγテーブルを作成して濃度補正を実行する。その後、クリーニングブレード１９により中間転写ベルト８上の濃度補正パターンＭ〜Ｋが除去されてキャリブレーションが終了する。
【００４８】
一方、ステップＳ２において特色が設定されていない場合は、特色分解パッチｍｓ〜ｋｓを追加しない通常の濃度補正パターン（図３（ａ）参照）を中間転写ベルト８上に形成して各色の濃度補正を実行する（ステップＳ７）。濃度補正の具体的な方法はステップ６と同様であるため説明を省略する。
【００４９】
上記手順で濃度補正を行うことにより、ユーザの指定する特色を単色の濃度補正と同時に直接補正することができ、画像形成に用いられるプロセスユニットの経年変化に関係なく特色の色調を高いレベルに維持することができる。また、特色分解パッチの近傍においてパッチ間の濃度差が略均等化されるため、濃度検知センサの読み取り誤差による中間調の濃度補正精度の劣化も抑制できる。
【００５０】
次に、本発明の画像形成装置における第２実施形態の濃度補正制御について説明する。図８は、第２実施形態の濃度補正における濃度補正パターンの変更方法を示すグラフであり、図９は、第２実施形態の濃度補正手順を示すフローチャートである。図１〜図５、及び図８を参照しながら、図９のステップに従いキャリブレーションの実行手順について説明する。なお、ここではマゼンタの濃度補正パターンＭを例に挙げて説明するが、他の濃度補正パターンＣ、Ｙ、Ｋも全く同様に説明される。
【００５１】
本実施形態においては、図９に示すように、ステップＳ２において特色が設定されている場合、特色が単色に分解され、各色の濃度補正パターンに特色分解パッチが追加されるまで（ステップＳ３、Ｓ４）は第１実施形態の制御と同様である。その後、図８に示すように、濃度補正パターンを特色分解パッチｍｓよりも低濃度側の領域（第１の領域）Ｒ１と、特色分解パッチｍｓよりも高濃度側の領域（第２の領域）Ｒ２とに分け、それぞれの領域Ｒ１、Ｒ２内の各パッチの濃度差が均等（Δｅ及びΔｆ）となるように濃度補正パターンを変更する（ステップＳ５）。
【００５２】
例えば、ｍ１〜ｍ９の設定濃度をそれぞれｍ１＝０％、ｍ２＝１２．５％、ｍ３＝２５％、ｍ４＝３７．５％、ｍ５＝５０％、ｍ６＝６２．５％、ｍ７＝７５％、ｍ８＝８７．５％、ｍ９＝１００％とし、特色分解パッチｍｓの設定濃度を４８％とする。このとき、第１の領域Ｒ１においてはΔｅ＝（４８−０）／４＝１２％となるため、ｍ２、ｍ３、ｍ４の濃度をそれぞれ１２％、２４％、３６％に変更する。一方、第２の領域Ｒ２においてはΔｅ＝（１００−４８）／５＝１０．４％となるため、ｍ５＝４８＋１０．４＝５８．４％、ｍ６＝４８＋１０．４×２＝６８．８％、ｍ７＝４８＋１０．４×３＝７９．２％、ｍ８＝４８＋１０．４×４＝８９．６％に変更する。
【００５３】
これにより、特色分解パッチｍｓの近傍のみでなく濃度補正パターン全域においてパッチ画像間の濃度差が略均等化されるため、第１実施形態に比べて中間調の濃度補正をより精度良く行うことができる。なお、ステップＳ５以降の制御手順は第１実施形態と同様であるため説明は省略する。
【００５４】
その他本発明は、上記各実施形態に限定されず、本発明の趣旨を逸脱しない範囲で種々の変更が可能である。例えば、上記実施形態において示した濃度補正パターンは一例に過ぎず、他のパターンを用いることもできる。
【００５５】
また、上記実施形態においては、中間転写ベルト８上に各色のトナー像を順次積層して形成されたフルカラー画像を用紙上に一度に転写する中間転写方式のタンデム型カラー画像形成装置について説明したが、本発明は、搬送ベルト上に担持されて搬送される用紙上に各色のトナー像を順次転写する直接転写方式のタンデム型カラー画像形成装置や、一つの感光体ドラムの周囲に複数の現像装置を配置したワンドラム式のカラー画像形成装置においても全く同様に適用可能である。また、濃度補正パターンを中間転写ベルトや搬送ベルト上に転写せずに、感光体ドラム上に形成された濃度補正パターンの濃度を検知する構成とすれば、ベルトの表面状態に係わらず高精度の濃度検知が可能となる。
【産業上の利用可能性】
【００５６】
本発明は、像担持体と、該像担持体上に濃度の異なる単色パッチから成る複数色の濃度補正パターンを形成可能な画像形成部と、該画像形成部により形成された濃度補正パターンの濃度を検知する検知手段と、該検知手段の検知結果に基づいて各色の濃度補正を行う制御手段と、を備え、ユーザにより所定の特色が設定されている場合は特色を単色に分解した特色分解パッチを濃度補正パターン中に追加するとともに、少なくとも特色分解パッチを含む複数の単色パッチの濃度差が略均等化されるように濃度補正パターンを変更するカラー画像形成装置である。
【００５７】
これにより、ユーザの指定する特色を単色の濃度補正と同時に直接補正することでプロセスユニットの経年変化に関係なく特色の色調を高いレベルに維持することができ、中間調の濃度補正精度の劣化も抑制可能なカラー画像形成装置を提供することができる。
【００５８】
また、特色分解パッチに濃度が隣接する２つの単色パッチが、特色分解パッチと２つの単色パッチに濃度が隣接する他の単色パッチとの濃度差を二等分するように濃度変更したので、２点のパッチ濃度を変更するだけで特色分解パッチ近傍の単色パッチの濃度差が簡単に略均等化される。
【００５９】
また、濃度補正パターンを特色分解パッチよりも低濃度側の第１の領域と高濃度側の第２の領域とに分割し、第１及び第２の領域内において濃度が隣接する各単色パッチ間の濃度差がそれぞれ均等となるように濃度変更したので、濃度補正パターン全域に亘ってパッチ間の濃度差が均等化され、中間調の濃度補正精度が一層向上する。
【図面の簡単な説明】
【００６０】
【図１】は、本発明のカラー画像形成装置の全体構成を示す概略図である。
【図２】は、本発明のカラー画像形成装置の制御経路を示すブロック図である。
【図３】は、特色が設定されていない場合（図３（ａ））及び特色が設定された場合（図３（ｂ））の濃度補正パターンの一例を示す図である。
【図４】は、図３（ｂ）におけるマゼンタの濃度補正パターンの拡大図である。
【図５】は、濃度補正パターンを形成する各パッチ画像の濃度と濃度検知センサの出力値との関係を示すグラフである。
【図６】は、第１実施形態の濃度補正における濃度補正パターンの変更方法を示すグラフである。
【図７】は、第１実施形態の濃度補正手順を説明するフローチャートである。
【図８】は、第２実施形態の濃度補正における濃度補正パターンの変更方法を示すグラフである。
【図９】は、第２実施形態の濃度補正手順を説明するフローチャートである。
【符号の説明】
【００６１】
Ｐａ〜Ｐｄ      画像形成部
１ａ〜１ｄ      感光体ドラム（像担持体）
２ａ〜２ｄ      帯電器
３ａ〜３ｄ      現像ユニット
４              露光ユニット
６ａ〜６ｄ      転写ローラ
７              定着部
８              中間転写ベルト（像担持体）
９              二次転写ローラ
２１            濃度検知センサ（検知手段）
３２            制御部（制御手段）
３３            記憶部
３４            操作パネル
１００          画像形成装置
Ｍ〜Ｋ          濃度補正パターン
ｍｓ〜ｋｓ      特色分解パッチ
Ｒ１            第１の領域
Ｒ２            第２の領域
【図１】
2009069232.tif 000003
【図２】
2009069232.tif 000004
【図４】
2009069232.tif 000005
【図５】
2009069232.tif 000006
【図６】
2009069232.tif 000007
【図７】
2009069232.tif 000008
【図８】
2009069232.tif 000009
【図９】
2009069232.tif 000010
【図３】
2009069232.tif 000011